(57)【要約】【課題】撮影画像の効率的な一覧表示を行なう。【解決手段】画像にその記録時の時間情報を付加して記録するフラッシュメモリ４８と、このメモリ４８に記録された画像を付加されている時間情報に基づいて日付毎に分類分けし、分類分けした日付毎の画像を１日１枚に制限して表示部１８でカレンダ画像として一覧表示する制御部４２とを備える。さらに、各日付毎に表示されている画像を順次切換えてスライドショー表示したり、ユーザによって任意に選択された日付に分類されている画像群を一括処理したり、表示させるデータの種別を制限したりするようにした。【選択図】      図２
2010187395.tif 000002
【特許請求の範囲】
【請求項１】
撮影画像にその撮影時間の情報を関連付けて記録する記録手段と、
この記録手段に記録された撮影画像を、その撮影画像と関連付けて記録されている撮影時間の情報に基づき所定期間単位毎に分類分けする分類分け手段と、
この分類分け手段で分類分けした所定期間単位毎の撮影画像を一覧表示する表示制御手段と、
この表示制御手段により所定期間単位毎に表示される撮影画像の数を制限する制限手段と
を具備したことを特徴とする画像再生装置。
【請求項２】
上記所定期間毎に分類分けされた撮影画像が上記制限手段で制限された数より多い場合に、この所定期間に含まれる撮影画像の中でより撮影時間の早い情報を有する撮影画像をその所定期間の代表となる撮影画像として選択する選択手段をさらに具備し、
上記表示制御手段は、この選択手段により選択された撮影画像をその所定期間の代表となる撮影画像として表示する手段を含むことを特徴とする請求項１記載の画像再生装置。
【請求項３】
上記所定期間毎に分類分けされた撮影画像が上記制限手段で制限された数より多い場合に、この所定期間に含まれる撮影画像の中の任意の撮影画像をその所定期間の代表となる撮影画像として選択する選択手段をさらに具備し、
上記表示制御手段は、この選択手段により選択された撮影画像をその所定期間の代表となる撮影画像として表示する手段を含むことを特徴とする請求項１記載の画像再生装置。
【請求項４】
上記制限手段は、所定期間単位毎に同時に表示する撮影画像の数を１に制限し、
上記表示制御手段は、所定期間単位毎に分類分けされた撮影画像が複数あった場合に表示する撮影画像を順次切換表示する手段を含むことを特徴とする請求項１記載の画像再生装置。
【請求項５】
上記表示制御手段により一覧表示された撮影画像上で任意の所定期間を指定する指定手段と、
この指定手段で指定された所定期間に含まれる撮影画像に対して所定の編集処理を一括して実行する編集手段と
をさらに具備したことを特徴とする請求項１乃至４いずれかに記載の画像再生装置。
【請求項６】
上記記録手段は、撮影画像に関連付けてその撮影時間の情報と種別の情報とを記録し、
上記制限手段は、上記表示制御手段により所定期間単位毎に表示される撮影画像の数と種別とを併せて制限する
ことを特徴とする請求項１記載の画像再生装置。
【請求項７】
撮影画像を記録する記録手段と、
この記録手段に記録された撮影画像を所定グループ単位毎に分類分けする分類分け手段と、
この分類分け手段で分類分けした所定グループ単位毎の撮影画像を１グループにつき１つのみに制限して一覧表示し、且つ１グループに対応する撮影画像が複数ある場合には表示する撮影画像を順次切換表示する表示制御手段と
を具備したことを特徴とする画像再生装置。
【請求項８】
上記表示制御手段により一覧表示された撮影画像上で任意のグループを指定する指定手段と、
この指定手段で指定されたグループに含まれる撮影画像に対して所定の編集処理を一括して実行する編集手段と
をさらに具備したことを特徴とする請求項７記載の画像再生装置。
【請求項９】
上記表示制御手段は、各グループ毎に代表となる撮影画像が１つ選択されて表示されている状態から、所定の操作が行なわれることにより、１グループに対応する撮影画像が複数ある場合に表示する撮影画像を順次切換表示する状態に移行することを特徴とする請求項７記載の画像再生装置。
【請求項１０】
撮影画像を記録する記録手段と、
この記録手段に記録された撮影画像を所定グループ単位毎に分類分けする分類分け手段と、
この分類分け手段で分類分けした所定グループ単位毎の撮影画像を一覧表示する表示制御手段と、
この表示制御手段により一覧表示された撮影画像上で任意のグループを指定する指定手段と、
この指定手段で指定されたグループに属する撮影画像に対して所定の編集処理を一括して実行する編集手段と
を具備したことを特徴とする画像再生装置。
【請求項１１】
上記指定手段は、上記一覧表示された撮影画像上で複数のグループを同時に指定し、
上記編集手段は、この指定手段で指定された複数のグループに属する撮影画像に対して所定の編集処理を一括して実行する
ことを特徴とする請求項１０記載の画像再生装置。
【請求項１２】
上記編集手段による編集処理の種別を選択する選択手段をさらに具備し、
上記編集手段は、この選択手段で選択された種別の編集処理を一括して実行する
ことを特徴とする請求項１０または１１記載の画像再生装置。
【請求項１３】
撮影画像を記録する記録手段と、
この記録手段に記録された撮影画像を所定グループ単位毎に分類分けする分類分け手段と、
上記分類分け手段で分類分けした所定グループ単位毎の撮影画像を一覧表示する表示制御手段と、
この表示制御手段により所定グループ単位毎に表示される撮影画像の種別を制限する制限手段と
を具備したことを特徴とする画像再生装置。
【請求項１４】
撮影画像の種別を任意に選択する選択手段をさらに具備し、
上記制限手段は、この選択手段により選択された撮影画像の種別に基づき、所定グループ単位毎に表示される撮影画像の種別を制限することを特徴とする請求項１３記載の画像再生装置。
【請求項１５】
上記記録手段は、撮影画像と関連付けて撮影時間の情報を記録し、
上記分類分け手段は、上記記録手段に記録された撮影画像を、該撮影画像と関連付けて記録されている撮影時間の情報に基づき所定期間単位毎に分類分けし、
上記表示制御手段は、上記分類分け手段で分類分けした所定期間単位毎の撮影画像を一覧表示する
ことを特徴とする請求項７乃至１４いずれかに記載の画像再生装置。
【請求項１６】
記録部に撮影時間の情報が関連付けて記録されている撮影画像を、その撮影時間の情報に基づき所定期間単位毎に分類分けする分類分けステップと、
所定期間単位毎に表示する撮影画像の数を制限する制限ステップと、
上記分類分けステップで分類分けした所定期間単位毎の撮影画像を上記制限ステップで制限された数に従って一覧表示する表示制御ステップと
をコンピュータに実行させることを特徴とするプログラム。
【請求項１７】
記録部に記録されている撮影画像を、所定グループ単位毎に分類分けする分類分けステップと、
この分類分けステップで分類分けした所定グループ単位毎の撮影画像を１グループにつき１つのみに制限して一覧表示し、且つ１グループに対応する撮影画像が複数ある場合には表示する撮影画像を順次切換表示する表示制御ステップと
をコンピュータに実行させることを特徴とするプログラム。
【請求項１８】
記録部に記録されている撮影画像を、所定グループ単位毎に分類分けする分類分けステップと、
この分類分けステップで分類分けした所定グループ単位毎の撮影画像を一覧表示する表示制御ステップと、
この表示制御ステップで一覧表示された撮影画像上で任意のグループを指定する指定ステップと、
この指定ステップで指定されたグループに属する撮影画像に対して所定の編集処理を一括して実行する編集ステップと
をコンピュータに実行させることを特徴とするプログラム。
【請求項１９】
記録部に記録されている撮影画像を、所定グループ単位毎に分類分けする分類分けステップと、
上記分類分けステップで分類分けした所定グループ単位毎に表示する撮影画像の種別を制限する制限ステップと、
この制限ステップを経た所定グループ単位毎の撮影画像を一覧表示する表示制御ステップとをコンピュータに実行させることを特徴とするプログラム。
【発明の詳細な説明】
【技術分野】
【０００１】
本発明は、デジタルスチルカメラ等に好適な画像再生装置及びプログラムに関する。
【背景技術】
【０００２】
近時、銀塩フィルムを使用するカメラに代わって、撮影画像をデジタルデータ化して取得可能なデジタルスチルカメラが広く一般に普及している。
【０００３】
この種のデジタルスチルカメラにおいて、再生モード時に記録されている撮影画像の縮小画像を期間（年／月／日）毎にカレンダ表示するようにしたものが提案されている。（例えば、特許文献１参照。）
【先行技術文献】
【特許文献】
【０００４】
【特許文献１】特開平１１−２１５４５７号公報
【発明の概要】
【発明が解決しようとする課題】
【０００５】
上記特許文献１では、カレンダ画面上に各日付に対応した画像がすべて表示される例が示されている。しかしながら、ある日付に対応する撮影画像が多数記録されており、上記カレンダ画面の１日分の日付に割り当てられている領域にすべての撮影画像を表示しきれない、というような事態は想定しておらず、そのような場合の効率的な表示方法も提示されていない。
【０００６】
本発明は上記のような実情に鑑みてなされたもので、その目的とするところは、撮影画像の効率的な一覧表示を行なうことが可能な画像再生装置及びプログラムを提供することにある。
【課題を解決するための手段】
【０００７】
請求項１記載の発明は、撮影画像にその撮影時間の情報を関連付けて記録する記録手段と、この記録手段に記録された撮影画像を、その撮影画像と関連付けて記録されている撮影時間の情報に基づき所定期間単位毎に分類分けする分類分け手段と、この分類分け手段で分類分けした所定期間単位毎の撮影画像を一覧表示する表示制御手段と、この表示制御手段により所定期間単位毎に表示される撮影画像の数を制限する制限手段とを具備したことを特徴とする。
【０００８】
このような構成とすれば、撮影時間の属する所定期間単位毎に表示する撮影画像の数を制限するものとしたので、より多くの所定期間単位の欄を同時に一覧表示でき、あるいは各所定期間単位毎に表示する撮影画像のサイズを大きくすることで、視認性を大幅に向上させることができる。
【０００９】
請求項２記載の発明は、上記請求項１記載の発明において、上記所定期間毎に分類分けされた撮影画像が上記制限手段で制限された数より多い場合に、この所定期間に含まれる撮影画像の中でより撮影時間の早い情報を有する撮影画像をその所定期間の代表となる撮影画像として選択する選択手段をさらに具備し、上記表示制御手段は、この選択手段により選択された撮影画像をその所定期間の代表となる撮影画像として表示する手段を含むことを特徴とする。
【００１０】
このような構成とすれば、上記請求項１記載の発明の作用に加えて、同一の所定期間毎に分類された撮影画像をすべて一度に表示できない場合に、撮影時間のより早い情報を有する撮影画像をその所定期間の代表となる撮影画像として自動的に選択して撮影画像の一覧表示させるようにしたため、例えば一連の時系列上の撮影画像の先頭側を表示させることにより、その後に続く撮影画像の内容を端的に代表して表示させることができる。
【００１１】
請求項３記載の発明は、上記請求項１記載の発明において、上記所定期間毎に分類分けされた撮影画像が上記制限手段で制限された数より多い場合に、この所定期間に含まれる撮影画像の中の任意の撮影画像をその所定期間の代表となる撮影画像として選択する選択手段をさらに具備し、上記表示制御手段は、この選択手段により選択された撮影画像をその所定期間の代表となる撮影画像として表示する手段を含むことを特徴とする。
【００１２】
このような構成とすれば、上記請求項１記載の発明の作用に加えて、ユーザ自身が任意に代表となる撮影画像を選択できるため、ユーザにとってその撮影画像を含む所定期間内の撮影画像全体をより認識し易くなる。
【００１３】
請求項４記載の発明は、上記請求項１記載の発明において、上記制限手段は、所定期間単位毎に同時に表示する撮影画像の数を１に制限し、上記表示制御手段は、所定期間単位毎に分類分けされた撮影画像が複数あった場合に表示する撮影画像を順次切換表示する手段を含むことを特徴とする。
【００１４】
このような構成とすれば、上記請求項１記載の発明の作用に加えて、例えば所定期間単位毎に１枚ずつ、あたかもスライド画像の表示を行なうように撮影画像を順次切換えて表示するため、一覧表示されるすべての撮影画像の内容を一覧表示の画像中で視認できるだけでなく、オリジナル画像を用いて動的な表示を行なうインテリアとしても楽しむことができる。
【００１５】
請求項５記載の発明は、上記請求項１乃至４いずれかに記載の発明において、上記表示制御手段により一覧表示された撮影画像上で任意の所定期間を指定する指定手段と、この指定手段で指定された所定期間に含まれる撮影画像に対して所定の編集処理を一括して実行する編集手段とをさらに具備したことを特徴とする。
【００１６】
このような構成とすれば、上記請求項１乃至４いずれかに記載の発明の作用に加えて、一覧表示上で任意の所定期間を指定し、指定した任意の所定期間に関する編集処理を一括して実行させるため、編集作業対象である所定期間の指定を一覧表示を見ながら容易に行なうことができると同時に、撮影画像に関する編集作業をより簡易化できる。
【００１７】
請求項６記載の発明は、上記請求項１記載の発明において、上記記録手段は、撮影画像に関連付けてその撮影時間の情報と種別の情報とを記録し、上記制限手段は、上記表示制御手段により所定期間単位毎に表示される撮影画像の数と種別とを併せて制限することを特徴とする。
【００１８】
このような構成とすれば、上記請求項１記載の発明の作用に加えて、例えば動画と静止画の相違や、画像の精細度の相違、等の種別を制限することで、一覧表示される内容全体を統一感のあるものにできる。
【００１９】
請求項７記載の発明は、撮影画像を記録する記録手段と、この記録手段に記録された撮影画像を所定グループ単位毎に分類分けする分類分け手段と、この分類分け手段で分類分けした所定グループ単位毎の撮影画像を１グループにつき１つのみに制限して一覧表示し、且つ１グループに対応する撮影画像が複数ある場合には表示する撮影画像を順次切換表示する表示制御手段とを具備したことを特徴とする。
【００２０】
このような構成とすれば、撮影時間の属する所定グループ単位毎に表示する撮影画像の数を１つに制限するものとしたので、より多くの所定グループ単位の欄を同時に一覧表示でき、あるいは各所定期間単位毎に表示する撮影画像のサイズを大きくすることで、視認性を大幅に向上させることができることに加えて、１グループに対応する撮影画像が複数ある場合には表示する撮影画像を順次切換表示するようにしたため、１グループに複数の撮影画像がある場合でも、一覧表示されるすべての撮影画像の内容を一覧表示の画像中で視認できる。
【００２１】
請求項８記載の発明は、上記請求項７記載の発明において、上記表示制御手段により一覧表示された撮影画像上で任意のグループを指定する指定手段と、この指定手段で指定されたグループに含まれる撮影画像に対して所定の編集処理を一括して実行する編集手段とをさらに具備したことを特徴とする。
【００２２】
このような構成とすれば、上記請求項７記載の発明の作用に加えて、一覧表示上で任意のグループを指定し、指定した任意のグループに関する編集処理を一括して実行させるため、編集作業対象であるグループの指定を一覧表示を見ながら容易に行なうことができると同時に、撮影画像に関する編集作業をより簡易化できる。
【００２３】
請求項９記載の発明は、上記請求項７記載の発明において、上記表示制御手段は、各グループ毎に代表となる撮影画像が１つ選択されて表示されている状態から、所定の操作が行なわれることにより、１グループに対応する撮影画像が複数ある場合に表示する撮影画像を順次切換表示する状態に移行することを特徴とする。
【００２４】
このような構成とすれば、上記請求項７記載の発明の作用に加えて、簡単な指定操作により、そのグループに属する複数の撮影画像を順次切換表示する状態に移行させることができるので、ユーザが未表示の画像を確認したいと思った場合にのみ指定操作を行なうことで、その内容を確認することができる。
【００２５】
請求項１０記載の発明は、撮影画像を記録する記録手段と、この記録手段に記録された撮影画像を所定グループ単位毎に分類分けする分類分け手段と、この分類分け手段で分類分けした所定グループ単位毎の撮影画像を一覧表示する表示制御手段と、この表示制御手段により一覧表示された撮影画像上で任意のグループを指定する指定手段と、この指定手段で指定されたグループに属する撮影画像に対して所定の編集処理を一括して実行する編集手段とを具備したことを特徴とする。
【００２６】
このような構成とすれば、所定のグループ単位で撮影画像を一覧表示するため、表示された撮影画像の内容からその属するグループを視覚的に認識できると共に、任意のグループの指定を容易にして任意のグループに関する編集作業をより簡易化できる。
【００２７】
請求項１１記載の発明は、上記請求項１０記載の発明において、上記指定手段は、上記一覧表示された撮影画像上で複数のグループを同時に指定し、上記編集手段は、この指定手段で指定された複数のグループに属する撮影画像に対して所定の編集処理を一括して実行することを特徴とする。
【００２８】
このような構成とすれば、上記請求項１０記載の発明の作用に加えて、一覧表示上で任意のグループを複数指定し、指定した複数の任意のグループに関する編集処理を一括して実行するため、編集作業対象である複数のグループの指定を一覧表示を見ながら容易に行なうことができると同時に、撮影画像に関する編集作業をさらに簡易化できる。
【００２９】
請求項１２記載の発明は、上記請求項１０または１１記載の発明において、上記編集手段による編集処理の種別を選択する選択手段をさらに具備し、上記編集手段は、この選択手段で選択された種別の編集処理を一括して実行することを特徴とする。
【００３０】
このような構成とすれば、上記請求項１０または１１記載の発明の作用に加えて、ユーザが所望する種別の編集処理を一覧表示上で指定した任意のグループに属する撮像画像に対して実行することができる。
【００３１】
請求項１３記載の発明は、撮影画像を記録する記録手段と、この記録手段に記録された撮影画像を所定グループ単位毎に分類分けする分類分け手段と、上記分類分け手段で分類分けした所定グループ単位毎の撮影画像を一覧表示する表示制御手段と、この表示制御手段により所定グループ単位毎に表示される撮影画像の種別を制限する制限手段とを具備したことを特徴とする。
【００３２】
このような構成とすれば、所定のグループ単位で表示する撮影画像の種別を制限して一覧表示するため、より多くのグループ単位の欄を同時に一覧表示でき、あるいは各グループ単位毎に表示する撮影画像のサイズを大きくすることで、視認性を大幅に向上させることができると共に、例えば動画と静止画の相違や、画像の精細度の相違、等の種別を制限することで、一覧表示される内容全体を統一感のあるものにできる。
【００３３】
請求項１４記載の発明は、上記請求項１３記載の発明において、撮影画像の種別を任意に選択する選択手段をさらに具備し、上記制限手段は、この選択手段により選択された撮影画像の種別に基づき、所定グループ単位毎に表示される撮影画像の種別を制限することを特徴とする。
【００３４】
このような構成とすれば、上記請求項１３記載の発明の作用に加えて、種別を任意に選択することで、ユーザの好みに応じて容易に一覧表示される撮影画像の種別を切換えることかできる。
【００３５】
請求項１５記載の発明は、上記請求項７乃至１４いずれかに記載の発明において、上記記録手段は、撮影画像と関連付けて撮影時間の情報を記録し、上記分類分け手段は、上記記録手段に記録された撮影画像を、該撮影画像と関連付けて記録されている撮影時間の情報に基づき所定期間単位毎に分類分けし、上記表示制御手段は、上記分類分け手段で分類分けした所定期間単位毎の撮影画像を一覧表示することを特徴とする。
【００３６】
このような構成とすれば、上記請求項７乃至１４いずれかに記載の発明の作用に加えて、撮影時間の属する所定期間単位で撮影画像を一覧表示することもできるため、表示された撮影画像の内容から撮影時間の属する所定期間単位を視覚的に認識することができる。
【００３７】
請求項１６記載の発明は、記録部に撮影時間の情報が関連付けて記録されている撮影画像を、その撮影時間の情報に基づき所定期間単位毎に分類分けする分類分けステップと、所定期間単位毎に表示する撮影画像の数を制限する制限ステップと、上記分類分けステップで分類分けした所定期間単位毎の撮影画像を上記制限ステップで制限された数に従って一覧表示する表示制御ステップとをコンピュータに実行させることを特徴とする。
【００３８】
このようなプログラム内容とすれば、撮影時間の属する所定期間単位毎に表示する撮影画像の数を制限するものとしたので、より多くの所定期間単位の欄を同時に一覧表示でき、あるいは各所定期間単位毎に表示する撮影画像のサイズを大きくすることで、視認性を大幅に向上させることができる。
【００３９】
請求項１７記載の発明は、記録部に記録されている撮影画像を、所定グループ単位毎に分類分けする分類分けステップと、この分類分けステップで分類分けした所定グループ単位毎の撮影画像を１グループにつき１つのみに制限して一覧表示し、且つ１グループに対応する撮影画像が複数ある場合には表示する撮影画像を順次切換表示する表示制御ステップとをコンピュータに実行させることを特徴とする。
【００４０】
このようなプログラム内容とすれば、撮影時間の属する所定グループ単位毎に表示する撮影画像の数を１つに制限するものとしたので、より多くの所定グループ単位の欄を同時に一覧表示でき、あるいは各所定期間単位毎に表示する撮影画像のサイズを大きくすることで、視認性を大幅に向上させることができることに加えて、１グループに対応する撮影画像が複数ある場合には表示する撮影画像を順次切換表示するようにしたため、１グループに複数の撮影画像がある場合でも、一覧表示されるすべての撮影画像の内容を一覧表示の画像中で視認できる。
【００４１】
請求項１８記載の発明は、記録部に記録されている撮影画像を、所定グループ単位毎に分類分けする分類分けステップと、この分類分けステップで分類分けした所定グループ単位毎の撮影画像を一覧表示する表示制御ステップと、この表示制御ステップで一覧表示された撮影画像上で任意のグループを指定する指定ステップと、この指定ステップで指定されたグループに属する撮影画像に対して所定の編集処理を一括して実行する編集ステップとをコンピュータに実行させることを特徴とする。
【００４２】
このようなプログラム内容とすれば、所定のグループ単位で撮影画像を一覧表示するため、表示された撮影画像の内容からその属するグループを視覚的に認識できると共に、任意のグループの指定を容易にして任意のグループに関する編集作業をより簡易化できる。
【００４３】
請求項１９記載の発明は、記録部に記録されている撮影画像を、所定グループ単位毎に分類分けする分類分けステップと、上記分類分けステップで分類分けした所定グループ単位毎に表示する撮影画像の種別を制限する制限ステップと、この制限ステップを経た所定グループ単位毎の撮影画像を一覧表示する表示制御ステップとをコンピュータに実行させることを特徴とする。
【００４４】
このようなプログラム内容とすれば、所定のグループ単位で表示する撮影画像の種別を制限して一覧表示するため、より多くのグループ単位の欄を同時に一覧表示でき、あるいは各グループ単位毎に表示する撮影画像のサイズを大きくすることで、視認性を大幅に向上させることができると共に、例えば動画と静止画の相違や、画像の精細度の相違、等の種別を制限することで、一覧表示される内容全体を統一感のあるものにできる。
【発明の効果】
【００４５】
請求項１記載の発明によれば、撮影時間の属する所定期間単位毎に表示する撮影画像の数を制限するものとしたので、より多くの所定期間単位の欄を同時に一覧表示でき、あるいは各所定期間単位毎に表示する撮影画像のサイズを大きくすることで、視認性を大幅に向上させることができる。
【００４６】
請求項２記載の発明によれば、上記請求項１記載の発明の効果に加えて、同一の所定期間毎に分類された撮影画像をすべて一度に表示できない場合に、撮影時間のより早い情報を有する撮影画像をその所定期間の代表となる撮影画像として自動的に選択して撮影画像の一覧表示させるようにしたため、例えば一連の時系列上の撮影画像の先頭側を表示させることにより、その後に続く撮影画像の内容を端的に代表して表示させることができる。
【００４７】
請求項３記載の発明によれば、上記請求項１記載の発明の効果に加えて、ユーザ自身が任意に代表となる撮影画像を選択できるため、ユーザにとってその撮影画像を含む所定期間内の撮影画像全体をより認識し易くなる。
【００４８】
請求項４記載の発明によれば、上記請求項１記載の発明の効果に加えて、例えば所定期間単位毎に１枚ずつ、あたかもスライド画像の表示を行なうように撮影画像を順次切換えて表示するため、一覧表示されるすべての撮影画像の内容を一覧表示の画像中で視認できるだけでなく、オリジナル画像を用いて動的な表示を行なうインテリアとしても楽しむことができる。
【００４９】
請求項５記載の発明によれば、上記請求項１乃至４いずれかに記載の発明の効果に加えて、一覧表示上で任意の所定期間を指定し、指定した任意の所定期間に関する編集処理を一括して実行させるため、編集作業対象である所定期間の指定を一覧表示を見ながら容易に行なうことができると同時に、撮影画像に関する編集作業をより簡易化できる。
【００５０】
請求項６記載の発明によれば、上記請求項１記載の発明の効果に加えて、例えば動画と静止画の相違や、画像の精細度の相違、等の種別を制限することで、一覧表示される内容全体を統一感のあるものにできる。
【００５１】
請求項７記載の発明によれば、撮影時間の属する所定グループ単位毎に表示する撮影画像の数を１つに制限するものとしたので、より多くの所定グループ単位の欄を同時に一覧表示でき、あるいは各所定期間単位毎に表示する撮影画像のサイズを大きくすることで、視認性を大幅に向上させることができることに加えて、１グループに対応する撮影画像が複数ある場合には表示する撮影画像を順次切換表示するようにしたため、１グループに複数の撮影画像がある場合でも、一覧表示されるすべての撮影画像の内容を一覧表示の画像中で視認できる。
【００５２】
請求項８記載の発明によれば、上記請求項７記載の発明の効果に加えて、一覧表示上で任意のグループを指定し、指定した任意のグループに関する編集処理を一括して実行させるため、編集作業対象であるグループの指定を一覧表示を見ながら容易に行なうことができると同時に、撮影画像に関する編集作業をより簡易化できる。
【００５３】
請求項９記載の発明によれば、上記請求項７記載の発明の効果に加えて、簡単な指定操作により、そのグループに属する複数の撮影画像を順次切換表示する状態に移行させることができるので、ユーザが未表示の画像を確認したいと思った場合にのみ指定操作を行なうことで、その内容を確認することができる。
【００５４】
請求項１０記載の発明によれば、所定のグループ単位で撮影画像を一覧表示するため、表示された撮影画像の内容からその属するグループを視覚的に認識できると共に、任意のグループの指定を容易にして任意のグループに関する編集作業をより簡易化できる。
【００５５】
請求項１１記載の発明によれば、上記請求項１０記載の発明の効果に加えて、一覧表示上で任意のグループを複数指定し、指定した複数の任意のグループに関する編集処理を一括して実行するため、編集作業対象である複数のグループの指定を一覧表示を見ながら容易に行なうことができると同時に、撮影画像に関する編集作業をさらに簡易化できる。
【００５６】
請求項１２記載の発明によれば、上記請求項１０または１１記載の発明の効果に加えて、ユーザが所望する種別の編集処理を一覧表示上で指定した任意のグループに属する撮像画像に対して実行することができる。
【００５７】
請求項１３記載の発明によれば、所定のグループ単位で表示する撮影画像の種別を制限して一覧表示するため、より多くのグループ単位の欄を同時に一覧表示でき、あるいは各グループ単位毎に表示する撮影画像のサイズを大きくすることで、視認性を大幅に向上させることができると共に、例えば動画と静止画の相違や、画像の精細度の相違、等の種別を制限することで、一覧表示される内容全体を統一感のあるものにできる。
【００５８】
請求項１４記載の発明によれば、上記請求項１３記載の発明の効果に加えて、種別を任意に選択することで、ユーザの好みに応じて容易に一覧表示される撮影画像の種別を切換えることかできる。
【００５９】
請求項１５記載の発明によれば、上記請求項７乃至１４いずれかに記載の発明の効果に加えて、撮影時間の属する所定期間単位で撮影画像を一覧表示することもできるため、表示された撮影画像の内容から撮影時間の属する所定期間単位を視覚的に認識することができる。
【００６０】
請求項１６記載の発明によれば、撮影時間の属する所定期間単位毎に表示する撮影画像の数を制限するものとしたので、より多くの所定期間単位の欄を同時に一覧表示でき、あるいは各所定期間単位毎に表示する撮影画像のサイズを大きくすることで、視認性を大幅に向上させることができる。
【００６１】
請求項１７記載の発明によれば、撮影時間の属する所定グループ単位毎に表示する撮影画像の数を１つに制限するものとしたので、より多くの所定グループ単位の欄を同時に一覧表示でき、あるいは各所定期間単位毎に表示する撮影画像のサイズを大きくすることで、視認性を大幅に向上させることができることに加えて、１グループに対応する撮影画像が複数ある場合には表示する撮影画像を順次切換表示するようにしたため、１グループに複数の撮影画像がある場合でも、一覧表示されるすべての撮影画像の内容を一覧表示の画像中で視認できる。
【００６２】
請求項１８記載の発明によれば、所定のグループ単位で撮影画像を一覧表示するため、表示された撮影画像の内容からその属するグループを視覚的に認識できると共に、任意のグループの指定を容易にして任意のグループに関する編集作業をより簡易化できる。
【００６３】
請求項１９記載の発明によれば、所定のグループ単位で表示する撮影画像の種別を制限して一覧表示するため、より多くのグループ単位の欄を同時に一覧表示でき、あるいは各グループ単位毎に表示する撮影画像のサイズを大きくすることで、視認性を大幅に向上させることができると共に、例えば動画と静止画の相違や、画像の精細度の相違、等の種別を制限することで、一覧表示される内容全体を統一感のあるものにできる。
【図面の簡単な説明】
【００６４】
【図１】本発明の第１の実施の形態に係るデジタルスチルカメラをその充電台を兼ねたクレイドルに載置した状態の外観構成を示す斜視図。
【図２】同実施の形態に係るデジタルスチルカメラの回路構成を示すブロック図。
【図３】同実施の形態に係るクレイドルの回路構成を示すブロック図。
【図４】同実施の形態に係るカレンダ表示画像登録モード時の処理内容を示すフローチャート。
【図５】同実施の形態に係るカレンダ表示画像を例示する図。
【図６】同実施の形態に係るカレンダ表示モード時の処理内容を示すフローチャート。
【図７】本発明の第２の実施の形態に係るカレンダ表示モード時の処理内容を示すフローチャート。
【発明を実施するための形態】
【００６５】
（第１の実施の形態）
以下本発明をデジタルスチルカメラに適用した第１の実施の形態について図面を参照して説明する。
【００６６】
図１は、本発明の第１の実施の形態に係るデジタルスチルカメラ１０を充電台を兼ねたクレイドル１１に載置した状態の外観構成を示すものである。デジタルスチルカメラ１０は、その背面側が手前になるようにクレイドル１１に載置することで、内蔵する電池の充電を実行できるだけでなく、このクレイドル１１を図示しないＵＳＢ（Ｕｎｉｖｅｒｓａｌ  Ｓｅｒｉａｌ  Ｂｕｓ）ケーブルを介して例えばパーソナルコンピュータと接続することで、画像データの送受が可能であるものとする。
【００６７】
デジタルスチルカメラ１０は、例えばタバコの箱程度のサイズの金属外装を有する筐体でなり、その上面に電源キー１２及びシャッタキー１３を配設する。
【００６８】
また、デジタルスチルカメラ１０の背面には、モードキー１４、光学ファインダ１５、フォーカスインジケータ１６、ストロボインジケータ１７、表示部１８、ズームキー１９、メニュー（ＭＥＮＵ）キー２０、リングキー２１、セット（ＳＥＴ）キー２２、及びディスプレイ（ＤＩＳＰ）キー２３が配設される。
【００６９】
電源キー１２は、このデジタルスチルカメラ１０の電源をオン／オフする。
【００７０】
シャッタキー１３は、撮影モード時に操作することで画像の撮影を実行する。
【００７１】
モードキー１４は、基本モードである撮影モード（ＲＥＣ）と再生モード（ＰＬＡＹ）とをスライド操作により切換えるためのキースイッチで、図では再生モード側に設定されている。
【００７２】
光学ファインダ１５は、被写体像の視野を光学的に視認するためのものである。
【００７３】
フォーカスインジケータ１６は、光学ファインダ１５の近傍に配置され、ユーザが光学ファインダ１５を除いている状態でフォーカスがロックしたことを例えば赤色のＬＥＤの点灯により表示する。
【００７４】
ストロボインジケータ１７は、光学ファインダ１５の近傍にし位置され、ユーザが光学ファインダ１５を除いている状態でストロボの充電が完了したことを例えば緑色のＬＥＤの点灯により表示する。
【００７５】
表示部１８は、バックライトを有する例えば対角２インチ程度のサイズのカラーＴＦＴ液晶パネルで構成され、撮影モードではその時点で撮影しようとしている画像をモニタ表示する一方で、再生モード時にはこのデジタルスチルカメラ１０の記録媒体であるフラッシュメモリ（後述）から読出して選択的に表示し、あるいはクレイドル１１に載置した状態でカレンダ表示を行なう。
【００７６】
ズームキー１９は、撮影モード時に撮影レンズの焦点距離を望遠（Ｔ）側あるいは広角（Ｗ）側に無段階で可変させる。
【００７７】
メニューキー２０は、各種モード設定等をメニュー項目として上記表示部１８に表示させる。
【００７８】
リングキー２１は、リング状操作キーの操作位置により、表示部１８に表示される項目を上下左右各方向へ変更させるものであり、その中央に位置するセットキー２２で、選択されているメニュー項目を選択設定する。
【００７９】
ディスプレイキー２３は、表示部１８での表示のオン／オフを切換え、また表示部１８での表示形態を切換える。
【００８０】
また、クレイドル１１には、図示する如く「ＰＨＯＴＯ」キー２４、ＵＳＢキー２５と、充電（ＣＨＡＲＧＥ）インジケータ２６、及びＵＳＢインジケータ２７が設けられる他、図示しないがデジタルスチルカメラ１０の載置位置にはＵＳＢコネクタ端子が設けられる。
【００８１】
このクレイドル１１にデジタルスチルカメラ１０を載置し、クレイドル１１のＡＣケーブルを家庭内のコンセントに接続することで、デジタルスチルカメラ１０内に設けられる充電池の充電を行なうことができる。その際、充電を実行している際には上記充電インジケータ２６が点灯する。
【００８２】
また、上記「ＰＨＯＴＯ」キー２４を操作することで、デジタルスチルカメラ１０内に記録されている画像データを表示部１８で表示し、デジタルスチルカメラ１０及びクレイドル１１を電子的なフォトスタンド（写真立て）として使用することもできるものとする。
【００８３】
加えて、デジタルスチルカメラ１０を載置したクレイドル１１を、図示しないパーソナルコンピュータ等の情報機器とＵＳＢケーブルを用いて接続し、上記ＵＳＢキー２５を操作することで、デジタルスチルカメラ１０と該情報機器との間での画像データの転送を容易に実行できるものとする。この画像データの転送時には、上記ＵＳＢインジケータ２７が点灯する。
【００８４】
次に、図２により上記デジタルスチルカメラ１０内の回路構成について説明する。
【００８５】
撮影モードでのモニタリング状態においては、モータ（Ｍ）３１の駆動により合焦位置や絞り位置が移動される、撮影レンズを含むレンズ光学系３２の撮影光軸後方に配置された撮像素子であるＣＣＤ３３が、タイミング発生器（ＴＧ）３４、垂直ドライバ３５によって走査駆動され、一定周期毎に結像した光像に対応する光電変換出力を１画面分出力する。
【００８６】
この光電変換出力は、アナログ値の信号の状態でＲＧＢの各原色成分毎に適宜ゲイン調整された後に、サンプルホールド（Ｓ／Ｈ）回路３６でサンプルホールドされ、Ａ／Ｄ変換器３７でデジタルデータに変換され、カラープロセス回路３８で画素補間処理及びγ補正処理を含むカラープロセス処理が行なわれて、デジタル値の輝度信号Ｙ及び色差信号Ｃｂ，Ｃｒが生成され、ＤＭＡ（ＤｉｒｅｃｔＭｅｍｏｒｙ  Ａｃｃｅｓｓ）コントローラ３９に出力される。
【００８７】
ＤＭＡコントローラ３９は、カラープロセス回路３８の出力する輝度信号Ｙ及び色差信号Ｃｂ，Ｃｒを、同じくカラープロセス回路３８からの複合同期信号、メモリ書込みイネーブル信号、及びクロック信号を用いて一度ＤＭＡコントローラ３９内部のバッファに書込み、ＤＲＡＭインタフェース（Ｉ／Ｆ）４０を介してバッファメモリとして使用されるＤＲＡＭ４１にＤＭＡ転送を行なう。
【００８８】
制御部４２は、ＣＰＵと、後述するカレンダ表示の処理を含むＣＰＵで実行される動作プログラムを固定的に記憶したＲＯＭ、及びワークメモリとして使用されるＲＡＭ等により構成され、このデジタルスチルカメラ１０全体の制御動作を司るもので、上記輝度及び色差信号のＤＲＡＭ４１へのＤＭＡ転送終了後に、この輝度及び色差信号をＤＲＡＭインタフェース４０を介してＤＲＡＭ４１より読出し、ＶＲＡＭコントローラ４３を介してＶＲＡＭ４４に書込む。
【００８９】
デジタルビデオエンコーダ４５は、上記輝度及び色差信号をＶＲＡＭコントローラ４３を介してＶＲＡＭ４４より定期的に読出し、これらのデータを元にビデオ信号を発生して上記表示部１８に出力する。
【００９０】
この表示部１８は、上述した如く撮影モード時にはモニタ表示部（電子ファインダ）として機能するもので、デジタルビデオエンコーダ４５からのビデオ信号に基づいた表示を行なうことで、その時点でＶＲＡＭコントローラ４３から取込んでいる画像情報に基づく画像をリアルタイムに表示することとなる。
【００９１】
このように表示部１８にその時点での画像がモニタ画像としてリアルタイムに表示されている状態で、静止画撮影を行ないたいタイミングでキー入力部４６を構成する上記シャッタキー１３を操作すると、トリガ信号を発生する。
【００９２】
制御部４２は、このトリガ信号に応じてその時点でＣＣＤ３３から取込んでいる１画面分の輝度及び色差信号のＤＲＡＭ４１へのＤＭＡ転送の終了後、直ちにＣＣＤ３３からのＤＲＡＭ４１への経路を停止し、記録保存の状態に遷移する。
【００９３】
この記録保存の状態では、制御部４２がＤＲＡＭ４１に書込まれている１フレーム分の輝度及び色差信号をＤＲＡＭインタフェース４０を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路４７に書込み、このＪＰＥＧ回路４７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００９４】
そして、得た符号データを１画像のデータファイルとして該ＪＰＥＧ回路４７から読出し、このデジタルスチルカメラ１０の記録媒体として着脱自在に装着されるメモリカード内に封入された、不揮発性メモリであるフラッシュメモリ４８に書込む。
【００９５】
この際、フラッシュメモリ４８に書込む画像データのファイルに関しては、例えばシャッタキー１３操作時に図示せぬ時計部から得られる日付と時刻、及びシリアル番号とよりなる所定桁数、例えば「０３０３３１１２３４０００１．ｊｐｇ」のようなファイル名が自動的に付加されて記録されるものとする。
【００９６】
因みに、上記ファイル名「０３０３３１１２３４０００１．ｊｐｇ」は、「（２０）０３」年「０３」月「３１」日「１２」時「３４」分に撮影した「０００１」番目のＪＰＥＧ方式で圧縮した静止画データであることを示している。
【００９７】
なお、このフラッシュメモリ４８は、着脱可能なメモリカードとは別に、デジタルスチルカメラ１０に内蔵されているものとしてもよく、さらにはメモリカードと内蔵のメモリの双方を併用するものとしてもよい。
【００９８】
そして、１フレーム分の輝度及び色差信号の圧縮処理及びフラッシュメモリ４８への全圧縮データの書込み終了に伴なって、制御部４２はＣＣＤ３３からＤＲＡＭ４１への経路を再び起動する。
【００９９】
また、制御部４２にはさらに、ＵＳＢインタフェース（Ｉ／Ｆ）４９が接続される。このＵＳＢインタフェース４９は、ＵＳＢコネクタ５０を介して有線接続される外部の情報機器、例えばパーソナルコンピュータとの間で画像データその他の送受を行なう場合の通信制御を行なう。
【０１００】
さらに、上記図１で示した如くデジタルスチルカメラ１０をクレイドル１１に載置した場合には、このクレイドル１１を介して図示しないＵＳＢケーブルにより接続されるパーソナルコンピュータ等の外部の情報機器との間でＵＳＢインタフェース４９が画像データ等の送受の通信制御を行なう。
【０１０１】
なお、上記キー入力部４６は、上述したシャッタキー１３の他に、上記電源キー１２、モードキー１４、ズームキー１９、メニューキー２０、リングキー２１、セットキー２２、及びディスプレイキー２３等から構成され、それらのキー操作に伴なう信号は直接制御部４２へ送出される。
【０１０２】
しかるに、静止画像ではなく動画像の撮影時においては、キー入力部４６のシャッタキー１３が操作され続けている間、上述した静止画像データのＤＲＡＭ４１への記録を時間的に連続して実行し、該シャッタキー１３の操作が終わるか、または所定の制限時間、例えば３０秒が経過した時点でそれら一連の静止画データを順次ＪＰＥＧ回路４７でデータ圧縮した後、データ圧縮した一連の静止画データを含むモーションＪＰＥＧの動画データファイルを生成し、フラッシュメモリ４８に記録する。
【０１０３】
また、再生モード時には、制御部４２がフラッシュメモリ４８に記録されている画像データを選択的に読出し、ＪＰＥＧ回路４７で撮影モード時にデータ圧縮した手順と全く逆の手順で圧縮されている画像データを伸長し、伸長した画像データをＤＲＡＭインタフェース４０を介してＤＲＡＭ４１に保持させた上で、このＤＲＡＭ４１の保持内容をＶＲＡＭコントローラ４３を介してＶＲＡＭ４４に記憶させ、このＶＲＡＭ４４より定期的に画像データを読出してビデオ信号を発生し、表示部１８で再生出力させる。
【０１０４】
選択した画像データが静止画像ではなく動画像であった場合、選択した動画像データのファイルを構成する個々の静止画像データの再生を時間的に連続して実行し、すべての静止画像データの再生を終了した時点で、次に再生の指示がなされるまでその動画像データの先頭に位置する静止画像データのみを用いて再生表示する。
【０１０５】
続いて図３で上記クレイドル１１内の回路構成について示す。クレイドル１１は、このクレイドル１１全般の制御を司る制御部５１を中心として、この制御部５１にＵＳＢインタフェース（Ｉ／Ｆ）５２、充電制御部５３、キー入力部５４、及びインジケータ部５５を接続して構成される。
【０１０６】
ＵＳＢインタフェース５２は、ＵＳＢケーブル５６を介して外部に接続される図示しないパーソナルコンピュータ等の情報機器と、ＵＳＢコネクタ５７に接続される上記デジタルスチルカメラ１０との間で送受される画像データ等の転送制御を行なう。
【０１０７】
充電制御部５３は、ＡＣコード５８を介してＡＣプラグ５９を図示しない家庭内のコンセントに接続した場合に得られるＡＣ電源を整流し、このクレイドル１１内の各回路へ必要な電圧の直流電源に変圧して供給する一方で、このクレイドル１１に載置されるデジタルスチルカメラ１０へ上記ＵＳＢコネクタ５７の電力線を介してデジタルスチルカメラ１０へ充電用の直流電源を供給する。
【０１０８】
キー入力部５４は、上記「ＰＨＯＴＯ」キー２４及びＵＳＢキー２５からなり、これらのキー入力は制御部５１へ直接入力される。
【０１０９】
インジケータ部５５は、上記充電インジケータ２６及びＵＳＢインジケータ２７からなり、制御部５１からの制御信号に基づいて点灯発光する。
【０１１０】
次に上記実施の形態の動作について説明する。
図４は、デジタルスチルカメラ１０を上記図１に示した如くクレイドル１１に載置した状態で、基本モードである再生モード中のカレンダ表示画像の登録モードを設定している場合に実行される、主として制御部４２による処理内容を示すものである。
【０１１１】
その処理当初には、図示せぬ時計部から得られる現在の月の各日付に対応して予めユーザ登録している画像が少なくとも１つあるか否かを判断する（ステップＡ０１）。これは、例えば制御部４２内に予め記憶される管理データ中に、当月の各日付に対応して画像データのファイル名が少なくとも１つユーザ登録されているか否かにより判断する。
【０１１２】
ここで１つも登録されたものがないと判断した場合には、現在の月のカレンダ上の各日付欄に、その日付に該当するファイル名を有する画像データを嵌め込むようにしてカレンダ画像を再生し、表示部１８に表示させる（ステップＡ０２）。
【０１１３】
この場合、その日付に対応するファイル名の画像データが１つもない場合には、その日付欄には日付の数値のみを表示するものとし、反対にその日付に対応するファイル名の画像データが１つ乃至複数ある場合には、そのうちで最も時刻の情報が早いもの、換言すれば時間軸上で先頭に位置するものを、その日付の代表画像として選択し、フラッシュメモリ４８より読出して日付欄の大きさに合わせた簡易画像を作成し、カレンダ画像中に嵌め込んで表示させるものとする。
【０１１４】
図５は、このようにして表示部１８に表示されるカレンダ画像を例示するものである。この月では、５日、１０日、２３日、及び２７日に対応する画像データがフラッシュメモリ４８に記録されており、それらを読出してカレンダ画像を生成して表示させている。
【０１１５】
また、上記ステップＡ０１で当月の各日付に対応して画像データのファイル名が少なくとも１つユーザ登録されていると判断した場合には、現在の月のカレンダ上の各日付欄に、そのユーザ登録された画像データか、またはユーザ登録された画像データがない場合はその日付に該当するファイル名を有する画像データを嵌め込むようにしてカレンダ画像を再生し、表示部１８に表示させる（ステップＡ０３）。
【０１１６】
この場合、その日付に対応するファイル名の画像データが１つもない場合には、その日付欄には日付の数値のみを表示するものとする。
【０１１７】
反対に、その日付に対応するファイル名の画像データが１つ乃至複数ある場合には、ユーザ登録されたものを優先して代表画像として選択するものとし、ユーザ登録されたものがなければ、さらにそのうちで最も時刻の情報が早いもの、換言すれば時間軸上で先頭に位置するものを、その日付の代表画像として選択し、フラッシュメモリ４８より読出して日付欄の大きさに合わせた簡易画像を作成し、カレンダ画像中に嵌め込んで表示させるものとする。
【０１１８】
しかして、上記ステップＡ０２またはＡ０３でユーザ登録された画像データの有無に応じたカレンダ画像の表示を行なっている状態において、そのカレンダ画像中のいずれかの日付が指定されたか否かを判断し（ステップＡ０４）、指定されていなければ、再び上記ステップＡ０１からの処理に戻る、という処理を繰返し実行することにより、カレンダ画像中のいずれかの日付が指定されるのを待機する。
【０１１９】
この場合、カレンダ画像中の日付の指定は、例えば表示部１８で表示されているカレンダ画像中の現在の日付位置を他の日付と区別するように特定の色、例えば赤色の枠で囲んで表示し、その枠の表示位置をリングキー２１の上下左右の操作に対応して適宜移動させた上で、セットキー２２が操作された場合に、その時点で枠により表示している日付を指定したものとする。
【０１２０】
そして、カレンダ画像中のいずれかの日付が指定された場合にこれをステップＡ０４で判断し、次にその日付に対応するファイル名の画像データをフラッシュメモリ４８からすべて読出し、上記カレンダ画像に代えてそれぞれの画像サイズを縮小した簡易画像を作成し、表示部１８上に一覧表示できるようにマルチ画面表示させる（ステップＡ０５）。
【０１２１】
この同一の日付に対応する画像データをマルチ画面表示させた状態で、いずれかの画像データが指定されるのを待機する（ステップＡ０６）。
【０１２２】
この場合も、マルチ画面表示中の画像データの指定は、例えば表示部１８で表示されているマルチ画面表示中の先頭に位置する画像を他の画像と区別するように特定の色、例えば赤色の枠で囲んで表示し、その枠の表示位置をリングキー２１の上下左右の操作に対応して適宜移動させた上で、セットキー２２が操作された場合に、その時点で枠により表示している画像を指定したものとする。
【０１２３】
マルチ画面中の画像が１つ指定された場合、ステップＡ０６でこれを判断し、指定された画像が指定された日付を代表する画像であるものとして制御部４２内の管理データ中に指定された画像のファイル名を指定された日付と対応付けて記憶し（ステップＡ０７）、以上で１つの日付に対するユーザ登録を終えて、他の日付のユーザ登録を続行するべく、上記ステップＡ０１からの処理に戻る。
【０１２４】
このように、画像データのファイル名として記録時の日付及び時刻の情報を自動的に設定し、そのファイル名から日付単位毎に制限された数、例えば１枚だけ画像データを一覧表示するものとしてカレンダ画像を表示するようにした。
【０１２５】
これにより、カレンダ表示中の画像データの内容と位置とから、その画像がどの日付で撮影されたものであるのかを視覚的に容易に認識できる。
【０１２６】
さらに、日付単位毎に表示する画像の数を制限しない場合と比較して、より多くの日付欄を同時に一覧表示することができ、あるいは各日付欄に表示する画像の表示サイズを大きくすることができるようになるので、カレンダ表示の視認性を大幅に向上させることができる。この効果は画面サイズが小さい表示部上にカレンダ表示させる場合に特に大きくなる。
なお、上記ステップＡ０２及びステップＡ０３では、フラッシュメモリ４８に記録されている画像データを読出し、これをカレンダの各日付欄の大きさに合わせて縮小した簡易画像を作成し、それぞれカレンダ画像中に嵌め込んで表示させるものとして説明したが、ＪＰＥＧで規定されている、本来の画像データに関連付けて記録されているサムネイル画像のデータを用いてカレンダ画像表示に供するものとすれば、カレンダ画像表示のための画像処理に要するデータ量がより小さくてすむため、カレンダ画像表示に要する時間を短縮できる。
【０１２７】
これに対応して、上記実施の形態では、ユーザ登録に伴って制御部４２内に記憶する管理データとして、その月を構成する各日付毎にフラッシュメモリ４８に記録される画像データのファイル名を記憶するものとして説明したが、本来の画像データに代えて、その画像データに関連付けて記録される、上記したサムネイル画像のファイル名を記憶するものとしてもよい。
【０１２８】
さらには、サムネイル画像のデータ量は本画像に比して大幅に小さいものであるので、ファイル名ではなく、サムネイル画像のデータそのものを管理データと日付に対応するものとして記憶させるようにしてもよい。
【０１２９】
また、上述したようなユーザ登録のための管理データを制御部４２内に設けるのではなく、単純にフラッシュメモリ４８に記録されている画像データに対して、ユーザ登録されたものにのみ、特定のフラグ情報を付加設定し、カレンダ画像を表示する際には該特定のフラグ情報の付加設定の有無を判断するものとしてもよい。
【０１３０】
さらに、すべての日付に関して、各日付に対応する複数の画像データ中の時間軸上で先頭に位置する画像データのファイル名又はサムネイル画像を登録するものとして予め管理データを作成しておき、ユーザ登録があった場合には対応する日付の管理データを更新設定するものとしてもよい。
【０１３１】
また、画像データのファイル名に撮影日付及び時刻の情報を含めるようにしたが、画像ファイル中の特定エリアに撮影日付及び時刻の情報を埋め込むようにしたり、画像ファイルと関連付けて撮影日付及び時刻の情報を記録するようにしてもよい。
【０１３２】
次に上記実施の形態の他の動作について説明する。
図６は、デジタルスチルカメラ１０を上記図１に示した如くクレイドル１１に載置した状態で、基本モードである再生モード中のカレンダ表示モードを設定している場合に実行される、主として制御部４２による処理内容を示すものである。
【０１３３】
その処理当初には、現在の月の各日付に対応して予めユーザ登録している画像が少なくとも１つあるか否かを判断する（ステップＢ０１）。これは、例えば制御部４２内に予め記憶される管理データ中に、当月の各日付に対応して画像データのファイル名が少なくとも１つユーザ登録されているか否かにより判断する。
【０１３４】
ここで１つも登録されたものがないと判断した場合には、現在の月のカレンダ上の各日付欄に、その日付に該当するファイル名を有する画像データを嵌め込むようにしてカレンダ画像を再生し、表示部１８に表示させる（ステップＢ０２）。
【０１３５】
この場合、その日付に対応するファイル名の画像データが１つもない場合には、その日付欄には日付の数値のみを表示するものとし、反対にその日付に対応するファイル名の画像データが１つ乃至複数ある場合には、そのうちで最も時刻の情報が早いもの、換言すれば時間軸上で先頭に位置するものを、その日付の代表画像として選択し、フラッシュメモリ４８より読出して日付欄の大きさに合わせた簡易画像を作成し、カレンダ画像中に嵌め込んで表示させるものとする。
【０１３６】
また、上記ステップＢ０１で当月の各日付に対応して画像データのファイル名が少なくとも１つユーザ登録されていると判断した場合には、現在の月のカレンダ上の各日付欄に、そのユーザ登録された画像データか、またはユーザ登録された画像データがない場合はその日付に該当するファイル名を有する画像データを嵌め込むようにしてカレンダ画像を再生し、表示部１８に表示させる（ステップＢ０３）。
【０１３７】
この場合、その日付に対応するファイル名の画像データが１つもない場合には、その日付欄には日付の数値のみを表示するものとする。
【０１３８】
反対に、その日付に対応するファイル名の画像データが１つ乃至複数ある場合には、ユーザ登録されたものを優先して代表画像として選択するものとし、ユーザ登録されたものがなければ、さらにそのうちで最も時刻の情報が早いもの、換言すれば時間軸上で先頭に位置するものを、その日付の代表画像として選択し、フラッシュメモリ４８より読出して日付欄の大きさに合わせた簡易画像を作成し、カレンダ画像中に嵌め込んで表示させるものとする。
【０１３９】
しかして、上記ステップＢ０２またはＢ０３でユーザ登録された画像データの有無に応じたカレンダ画像の表示を行なっている状態において、次に上記メニューキー２０とリングキー２１、及びセットキー２２の操作により、後述する「スライドショー」の表示が選択指示されているか否かを判断する（ステップＢ０４）。
【０１４０】
ここで「スライドショー」とは、カレンダ画像を構成する個々の日付欄において、対応する画像が複数ある場合に、一定時間、例えば５［秒］単位で表示する画像を順次循環的に切換えるようにする機能である。
【０１４１】
しかして、ステップＢ０４で「スライドショー」の表示が選択指示されていると判断した場合にのみ、カレンダ画像上の各日付欄毎に上述した一定時間単位で表示画像を切換える「スライドショー」の機能を実行する（ステップＢ０５）。
【０１４２】
このようなカレンダ画像の表示状態において、そのカレンダ画像中のいずれかの日付が指定されたか否かを判断し（ステップＢ０６）、指定されていなければ、再び上記ステップＢ０４からの処理に戻る、という処理を繰返し実行することにより、カレンダ画像を表示しながら、その中のいずれかの日付が指定されるのを待機する。
【０１４３】
この場合、カレンダ画像中の日付の指定は、例えば表示部１８で表示されているカレンダ画像中の現在の日付位置を他の日付と区別するように特定の色、例えば赤色の枠で囲んで表示し、その枠の表示位置をリングキー２１の上下左右の操作に対応して適宜移動させた上で、セットキー２２が操作された場合に、その時点で枠により表示している日付を指定したものとする。
【０１４４】
そして、カレンダ画像中のいずれかの日付が指定されると、これを上記ステップＢ０６で判断し、次にその指定された日付欄の画像を、例えば他の日付欄の画像より若干拡大するなどして強調して表示した上で（ステップＢ０７）、その日付欄の画像を表示することを指示する操作があったか否か（ステップＢ０８）、削除を指示する操作があったか否か（ステップＢ０９）、画像のプロテクトを指示する操作があったか否か（ステップＢ１０）、を繰返し判断することにより、これらのいずれかの指示がなされるのを待機する。
【０１４５】
上記ステップＢ０８は、具体的には、例えばさらなるセットキー２２の操作の有無により判断するもので、セットキー２２がさらに操作され、その日付欄の画像を表示することを指示する操作があったと判断すると、その日付に対応するファイル名の画像データをフラッシュメモリ４８からすべて読出し、上記カレンダ画像に代えてそれぞれの画像サイズを縮小した簡易画像を作成し、表示部１８上に一覧表示できるようにマルチ画面表示させる（ステップＢ１１）。
【０１４６】
この同一の日付に対応する画像データをマルチ画面表示させた状態で、いずれかの画像データが選択されるのを待機する（ステップＢ１２）。
【０１４７】
この場合、マルチ画面表示中の画像データの選択は、例えば表示部１８で表示されているマルチ画面表示中の先頭に位置する画像を他の画像と区別するように特定の色、例えば赤色の枠で囲んで表示し、その枠の表示位置をリングキー２１の上下左右の操作に対応して適宜移動させた上で、セットキー２２が操作された場合に、その時点で枠により表示している画像を選択したものとする。
【０１４８】
マルチ画面中の画像が１つ選択された場合、ステップＢ１２でこれを判断し、それまでのマルチ画面表示に代えて、選択された画像を用いて表示部１８の画面全面で表示させ（ステップＢ１３）、以上で一旦この図６の処理を終了し、以後上記選択した画像データの表示部１８での全画面表示を続行する。
【０１４９】
また、上記ステップＢ０９は、具体的には特定の日付を指定した状態でメニューキー２０が操作され、「削除」のメニュー項目が表示されてこれがリングキー２１の操作により選択され、続けてセットキー２２の操作がなされた場合にこれを削除を指示する操作があったものとして判断するもので、該操作があったと判断した場合には、その指定された日付に対応するファイル名の画像データが後述するプロテクト指定がなされていないことを確認した上でフラッシュメモリ４８から一括して消去する（ステップＢ１４）。
【０１５０】
この場合、画像データの一括消去に際しては、削除の操作に続いて即時消去動作を実行するのではなく、表示部１８において、例えば
「選択された日付の画像をすべて消去してよろしいですか？
はい  いいえ  」
のようなガイドメッセージを表示し、併せて上記「いいえ」の部分をカーソル表示した上で、リングキー２１の左方向キーの操作によりカーソルが上記「はい」の部分に移動され、その後にセットキー２２が操作された場合に、あらためて画像データの消去を実行するものとし、画像データの消去を１操作段階分だけ猶予して誤消去を防止するものとしてもよい。
【０１５１】
こうして指定した日付に対応する画像データの一括消去を実行した後、再び上記ステップＢ０１からの処理に戻る。
【０１５２】
また、上記ステップＢ１０は、具体的には特定の日付を指定した状態でメニューキー２０が操作され、「プロテクト」のメニュー項目が表示されてこれがリングキー２１の操作により選択され、続けてセットキー２２の操作がなされた場合にこれをプロテクトを指定する操作があったものとして判断するもので、該操作があったと判断した場合には、その指定された日付に対応するファイル名の画像データすべてに対し、フラッシュメモリ４８上でプロテクト指定の情報を付加設定するよう一括処理する（ステップＢ１５）。
【０１５３】
こうして指定した日付に対応する画像データの一括消去を実行した後、再び上記ステップＢ０１からの処理に戻る。
【０１５４】
このように、「スライドショー」の機能を選択することで、カレンダ画像の各日付欄毎に１枚ずつ、あたかもスライドの自動表示を行なうように画像データを順次切換えて自動表示するため、このデジタルスチルカメラ１０のユーザが何ら操作をせずとも、カレンダ画像を表示した状態で各日付に対応する画像データの内容をすべて視認できるだけでなく、オリジナルの画像を用いて動的な表示を行なうインテリアとしてこのデジタルスチルカメラ１０及びクレイドル１１を利用できる。
【０１５５】
すなわち、日付単位毎に表示する画像の数を制限しない場合と比較して、より多くの日付欄を同時に一覧表示することができ、あるいは各日付欄に表示する画像の表示サイズを大きくすることができるといった上述の効果に加えて、一覧表示状態のままで各日付に対応する複数の画像データの内容をすべて確認することができるものである。
【０１５６】
加えて、カレンダ上で一括処理を実行したい日付を指定（選択）し、指定した日付に対応する複数の画像データに対して、その削除やプロテクト指定等の編集処理を一括して実行することができるため、記録している画像に関する編集作業をより簡易化できる。
【０１５７】
なお、上述したステップＢ０８〜Ｂ１０における表示操作、削除操作、プロテクト操作を１回のキー操作で行えるように表示キー、削除キー、プロテクトキーを設けるようにしてもよい。
【０１５８】
このように構成すれば、カレンダ上で指定した日付に対応する画像データに対する一括処理をより一層容易に行うことができるようになる。
【０１５９】
（第２の実施の形態）
以下本発明をデジタルスチルカメラに適用した第２の実施の形態について図面を参照して説明する。
【０１６０】
なお、本発明の第２の実施の形態に係るデジタルスチルカメラをその充電台を兼ねたクレイドルに載置した状態での外観構成に関しては上記図１と、同デジタルスチルカメラの回路構成については上記図２と、そして、同クレイドルの回路構成については上記図３とそれぞれ基本的には同様であり、同一部分には同一符号を付すものとして、その図示及び説明は省略する。
【０１６１】
次に上記実施の形態の動作について説明する。
【０１６２】
図７は、デジタルスチルカメラ１０を上記図１に示した如くクレイドル１１に載置した状態で、基本モードである再生モード中のカレンダ表示モードを設定している場合に実行される、主として制御部４２による処理内容を示すものである。
【０１６３】
その処理当初には、フラッシュメモリ４８に記録されている画像データに基づき、現在の月のカレンダ上の各日付欄に、その日付に該当するファイル名を有する画像データを嵌め込むようにしてカレンダ画像を再生し、表示部１８に表示させる（ステップＣ０１）。
【０１６４】
この場合、その日付に対応するファイル名の画像データが１つもない場合には、その日付欄には日付の数値のみを表示するものとし、反対にその日付に対応するファイル名の画像データが１つ乃至複数ある場合には、そのうちで最も時刻の情報が早いもの、換言すれば時間軸上で先頭に位置するものを、その日付の代表画像として選択し、フラッシュメモリ４８より読出して日付欄の大きさに合わせた簡易画像を作成し、カレンダ画像中に嵌め込んで表示させるものとする。
【０１６５】
こうしたカレンダ画像を表示させた状態で、表示される画像データを制限するための操作があるか否か（ステップＣ０２）、カレンダ画像中のいずれかの日付が指定されたか否か（ステップＣ０３）、を繰返し判断することで、これらの操作がされるのを待機する。
【０１６６】
上記ステップＣ０２は、具体的には例えばメニューキー２０の操作により「表示画像制限」のメニュー項目が表示されてこれがリングキー２１の操作により選択され、続けてセットキー２２の操作がなされた場合にその指示操作があったものとして判断するもので、該指示操作があったと判断した場合には、次にカレンダ画像上で表示を許可する画像の種類を選択設定する（ステップＣ０４）。
【０１６７】
これは、例えばプロテクト設定されている画像データ、ＤＰＯＦ（Ｄｉｇｉｔａｌ  Ｐｒｉｎｔ  Ｏｒｄｅｒ  Ｆｏｒｍａｔ）情報が付された印刷指定済みの画像データ、データファイルの拡張子が「．ｊｐｇ」である静止画の画像データ、データファイルの拡張子が「．ａｖｉ」または「．ｍｐｇ」である動画像の画像データ、高精細画像等の精細度の違いによる画像データ等を予めメニュー表示した上でユーザが任意に選択して設定することができるものとする。
【０１６８】
こうしてステップＣ０４で表示を許可する画像の種類を設定すると、その選択設定した内容に基づいてフラッシュメモリ４８に記録されている画像データをあらためてサーチし、現在の月のカレンダ上の各日付欄に、その日付と表示が許可された画像の種類とに該当するファイル名を有する画像データを嵌め込むようにしてカレンダ画像を再生し、表示部１８に表示させる（ステップＣ０５）。
【０１６９】
この場合も、その日付と選択設定された種類に対応するファイル名の画像データが１つ乃至複数ある場合には、そのうちで最も時刻の情報が早いもの、換言すれば時間軸上で先頭に位置するものをその日付の代表画像として選択し、フラッシュメモリ４８より読出して日付欄の大きさに合わせた簡易画像を作成し、カレンダ画像中に嵌め込んで表示させる。
【０１７０】
こうして表示を許可する画像の種類をユーザの選択設定により制限したカレンダ画像を表示している状態で、そのカレンダ画像中のいずれかの日付が指定されたか否かを判断し（ステップＣ０６）、指定されていなければ、再び上記ステップＣ０５のカレンダ画像の表示処理に戻る、という処理を繰返し実行することにより、カレンダ画像を表示しながら、その中のいずれかの日付が指定されるのを待機する。
【０１７１】
この場合、カレンダ画像中の日付の指定は、例えば表示部１８で表示されているカレンダ画像中の現在の日付位置を他の日付と区別するように特定の色、例えば赤色の枠で囲んで表示し、その枠の表示位置をリングキー２１の上下左右の操作に対応して適宜移動させた上で、セットキー２２が操作された場合に、その時点で枠により表示している日付を指定したものとする。
【０１７２】
そして、カレンダ画像中のいずれかの日付が指定されると、これを上記ステップＣ０６で判断し、次にその指定された日付に対応し、且つ表示が許可されている種類の画像データをフラッシュメモリ４８からすべて読出し、上記カレンダ画像に代えてそれぞれの画像サイズを縮小した簡易画像を作成し、表示部１８上に一覧表示できるようにマルチ画面表示させる（ステップＣ０７）。
【０１７３】
この同一の日付、且つ表示が許可された種類に対応する画像データをマルチ画面表示させた状態で、いずれかの画像データが選択されるのを待機する（ステップＣ０８）。
【０１７４】
この場合、マルチ画面表示中の画像データの選択は、例えば表示部１８で表示されているマルチ画面表示中の先頭に位置する画像を他の画像と区別するように特定の色、例えば赤色の枠で囲んで表示し、その枠の表示位置をリングキー２１の上下左右の操作に対応して適宜移動させた上で、セットキー２２が操作された場合に、その時点で枠により表示している画像を選択したものとする。
【０１７５】
マルチ画面中の画像が１つ選択された場合、ステップＣ０８でこれを判断し、それまでのマルチ画面表示に代えて、選択された画像を用いて表示部１８の画面全面で表示させ（ステップＣ０９）、以上で一旦この図７の処理を終了し、以後上記選択した画像データの表示部１８での全画面表示を続行する。
【０１７６】
また、上記ステップＣ０３は、具体的には特定の日付を指定した状態でさらにセットキー２２が操作された際に日付の指定操作ありと判断するもので、該操作があったと判断した場合には、次にファイル名がその指定された日付に対応している画像データをフラッシュメモリ４８からすべて読出し、上記カレンダ画像に代えてそれぞれの画像サイズを縮小した簡易画像を作成し、表示部１８上に一覧表示できるようにマルチ画面表示させる（ステップＣ１０）。
【０１７７】
この同一の日付に対応する画像データをマルチ画面表示させた状態で、いずれかの画像データが選択されるのを待機する（ステップＣ１１）。
【０１７８】
この場合、マルチ画面表示中の画像データの選択は、例えば表示部１８で表示されているマルチ画面表示中の先頭に位置する画像を他の画像と区別するように特定の色、例えば赤色の枠で囲んで表示し、その枠の表示位置をリングキー２１の上下左右の操作に対応して適宜移動させた上で、セットキー２２が操作された場合に、その時点で枠により表示している画像を選択したものとする。
【０１７９】
マルチ画面中の画像が１つ選択された場合、ステップＣ１１でこれを判断し、それまでのマルチ画面表示に代えて、選択された画像を用いて表示部１８の画面全面で表示させ（ステップＣ０９）、以上で一旦この図７の処理を終了し、以後上記選択した画像データの表示部１８での全画面表示を続行する。
【０１８０】
このように、フラッシュメモリ４８に記録されている画像データの種別を選択設定してカレンダ画像を構成する個々の画像データとして、フラッシュメモリ４８に記録されている画像データの種別をユーザが任意に選択設定して表示を許可するものとした。
【０１８１】
これにより、例えば動画と静止画の相違や、画像の精細度の相違、等の種類を制限することで、ユーザにとって不必要な画像のカレンダ（一覧）表示を禁止してカレンダ上に表示される画像の数を少なくすることにより視認性を向上させることができるとともに、表示部１８にカレンダ表示される内容全体をユーザの好みに応じて統一感のあるものにできる。
【０１８２】
なお、上記第１及び第２の実施の形態において、カレンダ上で所望の日付が指定され、その日付に対応する画像データの表示が指定された際に、その日付に対応する画像データが１つだけである場合はマルチ画面表示を行なうことなく直ちに全画面表示に移行し、また、その日付に対応する画像データが１つもない場合はエラーメッセージ等を表示して画像データの表示が不可能である旨を報知する。
【０１８３】
また、上記第１の実施の形態では、カレンダ画像上の任意の日付を１つのみ指定し、その指定した１つの日付に対応する画像データに対してデータの削除やプロテクト指定など所望する一括処理を実行するものとしたが、カレンダ上で複数の日付を同時に指定し、その指定後に一括処理の内容を指定すると、指定された複数の日付に対応する画像データに対して、指定した処理内容で一括処理を実行するようにしてもよい。
【０１８４】
このように、なんらかの一括処理を行なう画像データの対象範囲を同時に複数指定できるものとすることで、フラッシュメモリ４８に記録される画像データの取扱いをより一層簡易化できる。
【０１８５】
また、上記第１の実施の形態では、各日付欄毎にその日付に対応した画像データの中から代表するもの１つを選択しているカレンダ画像を表示した状態で、ユーザにより「スライドショー」の機能が選択指定されていると、複数の画像データが対応しているすべての日付欄内で、自動的に順次画像データを所定時間ずつ切換えて表示するものとして説明したが、特にユーザの選択指定を要さず、カレンダ画像の表示当初から自動的に上記「スライドショー」の機能を開始するものとしてもよく、さらにはユーザが選択指定した１つまたは複数の日付欄の画像に対してのみ上記「スライドショー」の機能を実行するものとしてもよい。
【０１８６】
さらに、上述した「スライドショー」の機能では、１つの日付欄内で表示される１つの画像データを、ある時間点を境に他の画像データに瞬間的に切換えるものとしてもよいし、日付欄内で２つの画像データがスクロールするようにある程度の時間をかけて切換えるものとしてもよい。
【０１８７】
また、上記第１の実施の形態では、カレンダ表示モードにおいて、各日付欄に表示されている画像を自動スクロールさせるようにしたが、ユーザが指定した日付欄の画像を手動操作でスクロールできるようにしてもよい。
【０１８８】
このように構成した場合であってもカレンダー表示状態のままで各日付に対応する複数の画像データの内容をすべて確認することができるという効果を得ることができる。
【０１８９】
また、上記第１の実施の形態では、カレンダ表示画像登録モードにおいて、ユーザが所望する日付を指定すると、その日付に対応したファイル名を有する画像データがマルチ画面表示により一覧表示され、その中から代表となる画像を選択して登録するものとしたが、カレンダ画像を表示した状態でユーザが所望する日付欄を指定すると、その日付欄に表示されている画像を例えばリングキー２１の上下キー操作により手動でスクロールできるようになり、ユーザが手動のスクロール操作により所望の画像を表示させ、例えばセットキー２２の操作により表示中の画像をその日付欄の代表となる画像として登録するものとしてもよい。
【０１９０】
さらに、上記第１の実施の形態では、カレンダ表示画像登録モードとカレンダ表示モードの動作を別個に説明したが、カレンダ表示モード中に所望する画像を選択してその日付欄の代表となる画像に登録するものとしてもよい。
【０１９１】
これは、例えば図６のカレンダ表示モードの動作中、ステップＢ０７でユーザにより指定された日付欄を他の日付欄より強調して表示している状態で、画像登録の操作が行なわれると、図４のカレンダ表示画像登録モードのステップＡ０５〜Ａ０７の処理を実行するようにプログラムを構成することで実現できる。
【０１９２】
また、上記第１及び第２の実施の形態では、特にユーザが登録しない場合には各日付欄の代表となる画像としてその日付に対応するファイル名を有する画像データのうち、時間軸上で最も先頭に位置するものを自動的に選択するものとして説明したが、このようにデフォルトの代表画像としてその日付の最初に撮影された画像を選択するのではなく、中間に位置するもの、最後に位置するもの、あるいは２番目、３番目に位置するものを代表となる画像に用いて表示するようにしてもよい。
【０１９３】
さらに、上記第１の実施の形態では、削除操作またはプロテクト操作があった場合に、指定した日付に対応する画像データすべてを一括して処理するものとしたが、これら２つの処理に限らず、画像データの転送、印刷の指定、画像変換等の処理を一括して実行するようにしてもよい。
【０１９４】
また、上記第２の実施の形態では、カレンダ表示モードの途中、カレンダ画像中の各日付欄にその日付の代表となる画像が表示されている状態で、ユーザにより表示画像を制限する操作が行なわれ、カレンダ画像での表示を許可する画像の種類を選択すると、選択された種類の画像のみがカレンダ画像に用いられるものとして説明したが、カレンダ表示モードが選択された時点で、予めユーザが設定した画像の種別情報または予め決められている画像の種別情報に基づいた種別の画像のみがカレンダ画像に組み入れられて表示されるものとしてもよい。
【０１９５】
さらに、上記第１及び第２の実施の形態では、カレンダ画像の各日付欄に１つの画像のみを表示させるものとしたが、１つの日付欄に複数の画像を表示させるものとしてもよい。
【０１９６】
例えば、その日付に対応する画像データをすべてフラッシュメモリ４８から読出してそれぞれ大規模な画素間引きを行なうことで、日付欄毎にマルチ画面表示を行なうものとしてもよいし、その日付に対応する画像データを最大２つ、あるいは３つなどのように所定数だけ用いて１つの日付欄内に表示させるものとしてもよい。
【０１９７】
また、上記第１及び第２の実施の形態は、日付単位の月別カレンダを表示するカレンダ画像を表示するものとして説明したが、本発明はこれに限らず、所定期間単位毎に分類分けして特定の期間の一覧表示を行なうものであれば、例えば月単位の年別カレンダや、時間単位の日付別カレンダを表示するものに本発明を適用してもよい。
【０１９８】
さらに、上記第１及び第２の実施の形態では、制御部４２に記録される画像データが、その撮影を行なった日付及び時刻に基づいたファイル名を有するものとして、そのファイル名により分類分けを行なう場合について説明したが、撮影時間ではなく、例えばＧＰＳ（Ｇｌｏｂａｌ  Ｐｏｓｉｔｉｏｎｉｇ  Ｓｙｓｔｅｍ：全地球測位システム）機能で取得した位置情報や施設名等を用いた撮影位置（場所）、ストロボ使用の有無などによる撮影条件、動画像と静止画像の別などの画像種別、あるいはユーザが任意に付与設定した分類コード等により分類分けされる画像を一覧表示するものに本発明を適用するものとしてもよい。
【０１９９】
また、第１及び第２の実施の形態は、いずれも本発明をデジタルスチルカメラに適用した場合について説明したものであるが、ビデオムービーカメラや、カメラ機能付きの携帯電話端末もしくはＰＤＡ（Ｐｅｒｓｏｎａｌ  ＤｉｇｉｔａｌＡｓｓｉｓｔａｎｔ：携帯情報端末）もしくはパーソナルコンピュータもしくはテレビジョン受像機など、各種の表示部を有する撮影機能付き機器であれば、いずれの機器にでも本発明を適用することが可能である。
【０２００】
また、第１及び第２の実施の形態は、いずれも本発明を撮影機能付き機器に適用した場合について説明したものであるが、カメラ機能が付いていない、携帯電話端末もしくはＰＤＡ（携帯情報端末）もしくはパーソナルコンピュータもしくはテレビジョン受像機など、各種の表示部を有する機器であれば、いずれの機器にでも本発明を適用することが可能である。
【０２０１】
その他、本発明は上記実施の形態に限らず、その要旨を逸脱しない範囲内で種々変形して実施することが可能であるものとする。
【０２０２】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【符号の説明】
【０２０３】
１０…デジタルスチルカメラ、１１…クレイドル、１２…電源キー、１３…シャッタキー、１４…モードキー、１５…光学ファインダ、１６…フォーカスインジケータ、１７…ストロボインジケータ、１８…表示部、１９…ズームキー、２０…メニュー（ＭＥＮＵ）キー、２１…リングキー、２２…セット（ＳＥＴ）キー、２３…ディスプレイ（ＤＩＳＰ）キー、２４…「ＰＨＯＴＯ」キー、２５…ＵＳＢキー、２６…充電インジケータ、２７…ＵＳＢインジケータ、３１…モータ（Ｍ）、３２…レンズ光学系、３３…ＣＣＤ、３４…タイミング発生器（ＴＧ）、３５…垂直ドライバ、３６…サンプルホールド回路（Ｓ／Ｈ）、３７…Ａ／Ｄ変換器、３８…カラープロセス回路、３９…ＤＭＡコントローラ、４０…ＤＲＡＭインタフェース（Ｉ／Ｆ）、４１…ＤＲＡＭ、４２…制御部、４３…ＶＲＡＭコントローラ、４４…ＶＲＡＭ、４５…デジタルビデオエンコーダ、４６…キー入力部、４７…ＪＰＥＧ回路、４８…フラッシュメモリ、４９…ＵＳＢインタフェース（Ｉ／Ｆ）、５０…ＵＳＢコネクタ、５１…制御部、５２…ＵＳＢインタフェース（Ｉ／Ｆ）、５３…充電制御部、５４…キー入力部、５５…インジケータ部、５６…ＵＳＢケーブル、５７…ＵＳＢコネクタ、５８…ＡＣコード、５９…ＡＣプラグ。
【図１】
2010187395.tif 000003
【図２】
2010187395.tif 000004
【図３】
2010187395.tif 000005
【図４】
2010187395.tif 000006
【図５】
2010187395.tif 000007
【図６】
2010187395.tif 000008
【図７】
2010187395.tif 000009
【手続補正書】
【提出日】平成22年4月22日(2010.4.22)
【手続補正１】
【補正対象書類名】明細書
【補正対象項目名】０００７
【補正方法】変更
【補正の内容】
【０００７】
請求項１記載の発明は、撮影画像データを記録する記録手段と、表示手段と、上記記録手段に記録されている撮影画像データを所定の条件に従って複数のグループに分類する分類手段と、この分類手段により分類された撮影画像データをグループ別に上記表示手段に表示する表示制御手段と、この表示制御手段により表示手段に表示されている複数のグループのうち任意のグループを指定するグループ指定手段と、このグループ指定手段により指定されたグループに含まれる複数の撮影画像データに対して所定の画像処理を一括して実行する画像処理手段とを具備したことを特徴とする。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】変更
【補正の内容】
【０００９】
請求項２記載の発明は、上記請求項１記載の発明において、上記グループ指定手段は、上記複数のグループのうち任意の複数のグループを同時に指定し、上記画像処理手段は、上記グループ指定手段により同時に指定された複数のグループの各々に含まれる複数の撮影画像データに対して所定の画像処理を一括して実行することを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
請求項３記載の発明は、上記請求項１または２記載の発明において、画像処理の種別を指定する画像処理指定手段をさらに備え、上記画像処理手段は、上記画像処理指定手段により指定された種別の画像処理を、上記複数の撮影画像データに対して一括して実行することを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
請求項４記載の発明は、撮影画像データを記録する記録手段と、表示手段と、上記記録手段に記録されている撮影画像データを所定の条件に従って複数のグループに分類する分類手段と、この分類手段により分類された撮影画像データをグループ別に上記表示手段に表示する第１の表示制御手段と、この第１の表示制御手段により表示手段にグループ別に表示する撮影画像データの種別を制限する第２の表示制御手段とを具備したことを特徴とする。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
請求項５記載の発明は、上記請求項４記載の発明において、撮影画像データの種別を指定する画像種別指定手段をさらに備え、上記第２の表示制御手段は、上記画像種別指定手段により指定された撮影画像データの種別に基づいて、上記表示手段に表示する撮影画像データの種別を制限することを特徴とする。
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】変更
【補正の内容】
【００１７】
請求項６記載の発明は、上記請求項５記載の発明において、上記画像種別指定手段は、プロテクト設定の有無、印刷指定済みか否か、データファイルの拡張子、画像の精細度のうち、少なくとも１つを選択することにより、撮影画像データの種別を指定することを特徴とする。
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】変更
【補正の内容】
【００１９】
請求項７記載の発明は、画像再生装置が有するコンピュータに、記録手段に記録されている撮影画像データを所定の条件に従って複数のグループに分類する処理と、上記分類された撮影画像データをグループ別に表示手段に表示する処理と、上記表示手段に表示されている複数のグループのうち任意のグループを指定する処理と、上記指定されたグループに含まれる複数の撮影画像データに対して所定の画像処理を一括して実行する処理とを実行させることを特徴とする。
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】変更
【補正の内容】
【００２１】
請求項８記載の発明は、画像再生装置が有するコンピュータに、記録手段に記録されている撮影画像データを所定の条件に従って複数のグループに分類する処理と、上記分類された撮影画像データをグループ別に表示手段に表示する処理と、上記表示手段にグループ別に表示する撮影画像データの種別を制限する処理とを実行させることを特徴とする。
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正１８】
【補正対象書類名】明細書
【補正対象項目名】００２４
【補正方法】削除
【補正の内容】
【手続補正１９】
【補正対象書類名】明細書
【補正対象項目名】００２５
【補正方法】削除
【補正の内容】
【手続補正２０】
【補正対象書類名】明細書
【補正対象項目名】００２６
【補正方法】削除
【補正の内容】
【手続補正２１】
【補正対象書類名】明細書
【補正対象項目名】００２７
【補正方法】削除
【補正の内容】
【手続補正２２】
【補正対象書類名】明細書
【補正対象項目名】００２８
【補正方法】削除
【補正の内容】
【手続補正２３】
【補正対象書類名】明細書
【補正対象項目名】００２９
【補正方法】削除
【補正の内容】
【手続補正２４】
【補正対象書類名】明細書
【補正対象項目名】００３０
【補正方法】削除
【補正の内容】
【手続補正２５】
【補正対象書類名】明細書
【補正対象項目名】００３１
【補正方法】削除
【補正の内容】
【手続補正２６】
【補正対象書類名】明細書
【補正対象項目名】００３２
【補正方法】削除
【補正の内容】
【手続補正２７】
【補正対象書類名】明細書
【補正対象項目名】００３３
【補正方法】削除
【補正の内容】
【手続補正２８】
【補正対象書類名】明細書
【補正対象項目名】００３４
【補正方法】削除
【補正の内容】
【手続補正２９】
【補正対象書類名】明細書
【補正対象項目名】００３５
【補正方法】削除
【補正の内容】
【手続補正３０】
【補正対象書類名】明細書
【補正対象項目名】００３６
【補正方法】削除
【補正の内容】
【手続補正３１】
【補正対象書類名】明細書
【補正対象項目名】００３７
【補正方法】削除
【補正の内容】
【手続補正３２】
【補正対象書類名】明細書
【補正対象項目名】００３８
【補正方法】削除
【補正の内容】
【手続補正３３】
【補正対象書類名】明細書
【補正対象項目名】００３９
【補正方法】削除
【補正の内容】
【手続補正３４】
【補正対象書類名】明細書
【補正対象項目名】００４０
【補正方法】削除
【補正の内容】
【手続補正３５】
【補正対象書類名】明細書
【補正対象項目名】００４１
【補正方法】削除
【補正の内容】
【手続補正３６】
【補正対象書類名】明細書
【補正対象項目名】００４２
【補正方法】削除
【補正の内容】
【手続補正３７】
【補正対象書類名】明細書
【補正対象項目名】００４３
【補正方法】削除
【補正の内容】
【手続補正３８】
【補正対象書類名】明細書
【補正対象項目名】００４４
【補正方法】削除
【補正の内容】
【手続補正３９】
【補正対象書類名】明細書
【補正対象項目名】００４５
【補正方法】削除
【補正の内容】
【手続補正４０】
【補正対象書類名】明細書
【補正対象項目名】００４６
【補正方法】削除
【補正の内容】
【手続補正４１】
【補正対象書類名】明細書
【補正対象項目名】００４７
【補正方法】削除
【補正の内容】
【手続補正４２】
【補正対象書類名】明細書
【補正対象項目名】００４８
【補正方法】削除
【補正の内容】
【手続補正４３】
【補正対象書類名】明細書
【補正対象項目名】００４９
【補正方法】削除
【補正の内容】
【手続補正４４】
【補正対象書類名】明細書
【補正対象項目名】００５０
【補正方法】削除
【補正の内容】
【手続補正４５】
【補正対象書類名】明細書
【補正対象項目名】００５１
【補正方法】削除
【補正の内容】
【手続補正４６】
【補正対象書類名】明細書
【補正対象項目名】００５２
【補正方法】削除
【補正の内容】
【手続補正４７】
【補正対象書類名】明細書
【補正対象項目名】００５３
【補正方法】削除
【補正の内容】
【手続補正４８】
【補正対象書類名】明細書
【補正対象項目名】００５４
【補正方法】変更
【補正の内容】
【００５４】
本発明によれば、所定のグループ単位で撮影画像を一覧表示するため、表示された撮影画像の内容からその属するグループを視覚的に認識できると共に、任意のグループの指定を容易にして任意のグループに関する編集作業をより簡易化できる。
【手続補正４９】
【補正対象書類名】明細書
【補正対象項目名】００５５
【補正方法】変更
【補正の内容】
【００５５】
また、本発明によれば、一覧表示上で任意のグループを指定し、指定した任意のグループに関する編集処理を一括して実行するため、編集作業対象であるグループの指定を一覧表示を見ながら容易に行なうことができると同時に、撮影画像に関する編集作業をさらに簡易化できる。
【手続補正５０】
【補正対象書類名】明細書
【補正対象項目名】００５６
【補正方法】削除
【補正の内容】
【手続補正５１】
【補正対象書類名】明細書
【補正対象項目名】００５７
【補正方法】変更
【補正の内容】
【００５７】
また、本発明によれば、所定のグループ単位で表示する撮影画像の種別を制限して一覧表示するため、より多くのグループ単位の欄を同時に一覧表示でき、あるいは各グループ単位毎に表示する撮影画像のサイズを大きくすることで、視認性を大幅に向上させることができると共に、例えば動画と静止画の相違や、画像の精細度の相違、等の種別を制限することで、一覧表示される内容全体を統一感のあるものにできる。
【手続補正５２】
【補正対象書類名】明細書
【補正対象項目名】００５８
【補正方法】変更
【補正の内容】
【００５８】
また、本発明によれば、種別を任意に選択することで、ユーザの好みに応じて容易に一覧表示される撮影画像の種別を切換えることかできる。
【手続補正５３】
【補正対象書類名】明細書
【補正対象項目名】００５９
【補正方法】削除
【補正の内容】
【手続補正５４】
【補正対象書類名】明細書
【補正対象項目名】００６０
【補正方法】削除
【補正の内容】
【手続補正５５】
【補正対象書類名】明細書
【補正対象項目名】００６１
【補正方法】削除
【補正の内容】
【手続補正５６】
【補正対象書類名】明細書
【補正対象項目名】００６２
【補正方法】削除
【補正の内容】
【手続補正５７】
【補正対象書類名】明細書
【補正対象項目名】００６３
【補正方法】削除
【補正の内容】
【手続補正５８】
【補正対象書類名】特許請求の範囲
【補正対象項目名】全文
【補正方法】変更
【補正の内容】
【特許請求の範囲】
【請求項１】
撮影画像データを記録する記録手段と、
表示手段と、
上記記録手段に記録されている撮影画像データを所定の条件に従って複数のグループに分類する分類手段と、
この分類手段により分類された撮影画像データをグループ別に上記表示手段に表示する表示制御手段と、
この表示制御手段により表示手段に表示されている複数のグループのうち任意のグループを指定するグループ指定手段と、
このグループ指定手段により指定されたグループに含まれる複数の撮影画像データに対して所定の画像処理を一括して実行する画像処理手段と
を具備したことを特徴とする画像再生装置。
【請求項２】
上記グループ指定手段は、上記複数のグループのうち任意の複数のグループを同時に指定し、
上記画像処理手段は、上記グループ指定手段により同時に指定された複数のグループの各々に含まれる複数の撮影画像データに対して所定の画像処理を一括して実行することを特徴とする請求項１記載の画像再生装置。
【請求項３】
画像処理の種別を指定する画像処理指定手段をさらに備え、
上記画像処理手段は、上記画像処理指定手段により指定された種別の画像処理を、上記複数の撮影画像データに対して一括して実行することを特徴とする請求項１または２記載の画像再生装置。
【請求項４】
撮影画像データを記録する記録手段と、
表示手段と、
上記記録手段に記録されている撮影画像データを所定の条件に従って複数のグループに分類する分類手段と、
この分類手段により分類された撮影画像データをグループ別に上記表示手段に表示する第１の表示制御手段と、
この第１の表示制御手段により表示手段にグループ別に表示する撮影画像データの種別を制限する第２の表示制御手段と
を具備したことを特徴とする画像再生装置。
【請求項５】
撮影画像データの種別を指定する画像種別指定手段をさらに備え、
上記第２の表示制御手段は、上記画像種別指定手段により指定された撮影画像データの種別に基づいて、上記表示手段に表示する撮影画像データの種別を制限することを特徴とする請求項４記載の画像再生装置。
【請求項６】
上記画像種別指定手段は、プロテクト設定の有無、印刷指定済みか否か、データファイルの拡張子、画像の精細度のうち、少なくとも１つを選択することにより、撮影画像データの種別を指定することを特徴とする請求項５記載の画像再生装置。
【請求項７】
画像再生装置が有するコンピュータに、
記録手段に記録されている撮影画像データを所定の条件に従って複数のグループに分類する処理と、
上記分類された撮影画像データをグループ別に表示手段に表示する処理と、
上記表示手段に表示されている複数のグループのうち任意のグループを指定する処理と、
上記指定されたグループに含まれる複数の撮影画像データに対して所定の画像処理を一括して実行する処理と
を実行させることを特徴とするプログラム。
【請求項８】
画像再生装置が有するコンピュータに、
記録手段に記録されている撮影画像データを所定の条件に従って複数のグループに分類する処理と、
上記分類された撮影画像データをグループ別に表示手段に表示する処理と、
上記表示手段にグループ別に表示する撮影画像データの種別を制限する処理と
を実行させることを特徴とするプログラム。